(57)【要約】【課題】ウェブサイトから別のウェブサイトに移動してしまったユーザを広告主のウェブサイトへ誘導する広告データ出力装置、広告データ出力方法、広告データ出力プログラムを提供する。【解決手段】ユーザが閲覧する情報ページの履歴を履歴取得手段１５０が取得し、広告選択手段１６０が取得した閲覧履歴から最適な広告データを選択し、広告選択手段１６０が選択した広告データからポップアップ広告をポップアップ生成手段１２０が生成し、広告データ出力手段が、ユーザが情報ページから他の情報ページに移動する離脱操作直後にポップップ広告を出力してユーザが操作する端末機器３００に搭載されたウェブブラウザで最前面にポップアップ広告を表示する。【選択図】図１
2018060337.tif 000002
【特許請求の範囲】
【請求項１】
ネットワークに接続され、ユーザが操作するネットワーク接続端末に表示される広告データを出力する広告データ出力装置において、
前記広告データを生成する広告データ生成手段と、
前記ネットワーク接続端末に表示された特定の情報ページから他の情報ページに遷移する操作、または前記ネットワーク接続端末に表示された前記特定の情報ページがアクティブな状態から非アクティブな状態に遷移する操作である離脱操作直後に、前記広告データを出力する広告データ出力手段と、
を備えることを特徴とする広告データ出力装置。
【請求項２】
前記広告データ出力手段は、
前記ユーザが前記ネットワーク接続端末で閲覧した履歴情報が取得される履歴情報取得手段を備え、取得された前記履歴情報によって前記広告データを変更して出力することを特徴とする請求項１記載の広告データ出力装置。
【請求項３】
前記履歴情報取得手段は、
前記特定の情報ページを出力するサーバに蓄積される前記ネットワーク接続端末の履歴情報を取得することを特徴とする請求項２記載の広告データ出力装置。
【請求項４】
前記ネットワーク接続端末の履歴情報が、
前記ユーザが前記特定の情報ページに移動する前の閲覧情報が蓄積されたリファラ情報であることを特徴とする請求項３記載の広告データ出力装置。
【請求項５】
前記履歴情報取得手段は、
前記ネットワーク接続端末蓄積された前記ネットワーク接続端末の履歴情報を取得することを特徴とする請求項２記載の広告データ出力装置。
【請求項６】
前記ネットワーク接続端末の履歴情報が、
前記ユーザの識別や属性に関する情報、または最後に閲覧した情報ページの日時などの情報が蓄積されたクッキー情報であることを特徴とする請５記載の広告データ出力装置。
【請求項７】
前記広告生成手段は、
前記ネットワーク接続端末に表示される前記情報ページとは別の広告枠が表示され、かつ前記ネットワーク接続端末の最前面に表示されるポップアップを生成することを特徴とする請求項１記載の広告データ出力装置。
【請求項８】
前記広告データ出力手段は、
出力された非表示属性を付した前記ポップアップを、前記離脱操作直後に表示属性に変更することで前記広告データが前記ネットワーク接続端末に前記ポップアップが表示されることを特徴とする請求項７記載の広告データ出力装置。
【請求項９】
ネットワークに接続され、ユーザが操作するネットワーク接続端末に表示される広告データを出力する広告データ出力方法において、
広告データ生成手段が前記広告データを生成する行程と、
広告データ出力手段が、前記ネットワーク接続端末に表示された特定の情報ページから他の情報ページに遷移する操作、または前記ネットワーク接続端末に表示された前記特定の情報ページがアクティブな状態から非アクティブな状態に遷移する操作である離脱操作直後に、前記広告データを出力する行程と、
を備えることを特徴とする広告データ出力方法。
【請求項１０】
ネットワークに接続され、ユーザが操作するネットワーク接続端末に表示される広告データを出力する広告データ出力プログラムにおいて、
コンピュータを、
前記広告データが生成される広告データ生成手段、および
前記ネットワーク接続端末に表示された特定の情報ページから他の情報ページに遷移する操作、または前記ネットワーク接続端末に表示された前記特定の情報ページがアクティブな状態から非アクティブな状態に遷移する操作である離脱操作直後に、前記広告データを出力する広告データ出力手段、
として機能させることを特徴とする広告データ出力プログラム。
【発明の詳細な説明】
【技術分野】
【０００１】
本発明は、広告データ出力装置、広告データ出力方法、および広告データ出力プログラムに関し、特にネットワークを介して接続されるユーザが操作する端末機器に表示される情報ページに広告データを表示させる広告データ出力装置、広告データ出力方法、および広告データ出力プログラムに関する。
【背景技術】
【０００２】
従来、インターネットを介してホームページなどのウェブサイト内にあらかじめ決められたサイズの広告枠を設けて、その広告枠に広告主の商品やキャッチコピーを表示し、リンクされた広告主のウェブサイトへ誘導されるバナー広告がある。
【０００３】
バナー広告はウェブサイト内に表示されているだけでは効果は少なく、端末を操作するユーザがバナー広告をクリックして、広告主のウェブサイトへ移動しなければ広告主の成約につながる効果は少ない。
【０００４】
そこで、より多くのユーザがバナー広告をクリックして広告主のウェブサイトへ誘導されるように、バナー広告に動きを与えたり、ユーザが操作するマウスカーソルがバナー広告に重なるとバナー広告が拡大表示されたりすることで、より多くのユーザを広告主のウェブサイトへ誘導する手法が知られている（たとえば、特許文献１参照）。
【先行技術文献】
【特許文献】
【０００５】
【特許文献１】特開２００９−５３２１９号公報
【発明の概要】
【発明が解決しようとする課題】
【０００６】
しかし、これらのバナー広告は、ユーザが操作する端末に表示されている状態でしか広告として有効でないという問題があった。具体的には、端末を操作するユーザがウェブサイトを閲覧し、広告主の掲載するバナー広告を見ずに別のウェブサイトに移動したり、複数掲載されたバナー広告のうちユーザが操作するマウスカーソルが拡大されるバナー広告に重なることなく別のウェブサイトに移動したりすると、移動してしまったウェブサイトから広告主のウェブサイトに誘導することは非常に困難であった。
【０００７】
本発明はこのような点に鑑みてなされたものであり、特定のウェブサイトから別のウェブサイトに移動してしまったユーザを広告主のウェブサイトへ誘導する広告データ出力装置、広告データ出力方法、広告データ出力プログラムを提供することを目的とする。
【課題を解決するための手段】
【０００８】
本発明では上記問題を解決するために、ネットワークに接続され、ユーザが操作するネットワーク接続端末に表示される広告データを出力する広告データ出力装置において、前記広告データを生成する広告データ生成手段と、前記ネットワーク接続端末に表示された特定の情報ページから他の情報ページに遷移する操作、または前記ネットワーク接続端末に表示された前記特定の情報ページがアクティブな状態から非アクティブな状態に遷移する操作である離脱操作直後に、前記広告データを出力する広告データ出力手段とを備えることを特徴とする広告データ出力装置が提供される。
【０００９】
これにより、広告データ生成手段が広告データを生成し、広告データ出力手段が、ネットワーク接続端末に表示された特定の情報ページから他の情報ページに遷移する操作、またはネットワーク接続端末に表示された特定の情報ページがアクティブな状態から非アクティブな状態に遷移する操作である離脱操作直後に広告データを出力する。
【００１０】
また、本発明では、ネットワークに接続され、ユーザが操作するネットワーク接続端末に表示される広告データを出力する広告データ出力方法において、広告データ生成手段が前記広告データを生成する行程と、広告データ出力手段が、前記ネットワーク接続端末に表示された特定の情報ページから他の情報ページに遷移する操作、または前記ネットワーク接続端末に表示された前記特定の情報ページがアクティブな状態から非アクティブな状態に遷移する操作である離脱操作直後に、前記広告データを出力する行程とを備えることを特徴とする広告データ出力方法が提供される。
【００１１】
これにより、広告データ生成手段が広告データを生成し、広告データ出力手段が、ネットワーク接続端末に表示された特定の情報ページから他の情報ページに遷移する操作、またはネットワーク接続端末に表示された特定の情報ページがアクティブな状態から非アクティブな状態に遷移する操作である離脱操作直後に広告データを出力する。
【００１２】
また、本発明では、ネットワークに接続され、ユーザが操作するネットワーク接続端末に表示される広告データを出力する広告データ出力プログラムにおいて、コンピュータを、前記広告データが生成される広告データ生成手段、および前記ネットワーク接続端末に表示された特定の情報ページから他の情報ページに遷移する操作、または前記ネットワーク接続端末に表示された前記特定の情報ページがアクティブな状態から非アクティブな状態に遷移する操作である離脱操作直後に、前記広告データを出力する広告データ出力手段  として機能させることを特徴とする広告データ出力プログラムが提供される。
【００１３】
これにより、広告データ生成手段が広告データを生成し、広告データ出力手段が、ネットワーク接続端末に表示された特定の情報ページから他の情報ページに遷移する操作、またはネットワーク接続端末に表示された特定の情報ページがアクティブな状態から非アクティブな状態に遷移する操作である離脱操作直後に広告データを出力する。
【発明の効果】
【００１４】
本発明の広告データ出力装置、広告データ出力方法、および広告データ出力プログラムによれば、広告データ生成手段が広告データを生成し、広告データ出力手段が、ユーザが情報ページから他の情報ページに移動する離脱操作直後に、広告データが表示される広告データを出力する。ので、ユーザが閲覧していたウェブサイトから別のウェブサイトに移動してしまったユーザを広告主のウェブサイトへ誘導することができる。
【図面の簡単な説明】
【００１５】
【図１】本実施の形態に係る概念を示す図である。
【図２】制御サーバの構成を示すブロック図である。
【図３】ウェブサーバの構成を示すブロック図である。
【図４】情報ページ格納部の詳細を示す図である。
【図５】本実施の形態の広告データ出力装置によるユーザが操作する端末機器に広告データを表示させるまでの手順を示すフローチャートである。
【図６】クライアントが操作する端末機器に表示される特定の情報ページにポップアップが表示される様子示す図である。
【図７】制御サーバの構成を示すブロック図である。
【図８】本実施の形態の広告データ出力装置によるユーザが操作する端末機器に広告データを表示させるまでの手順を示すフローチャートである。
【図９】広告選択手段によって選択された広告が出力される概念を示す図である。
【発明を実施するための形態】
【００１６】
以下、本発明の実施の形態を、図面を参照して詳細に説明する。
〔第１の実施の形態〕
図１は、本実施の形態に係る概念を示す図である。
図１に示すように、制御サーバ１００、ウェブサーバ２００、および端末機器３００は、インターネット４００に接続されている。
【００１７】
ウェブサーバ２００は、企業がインターネット４００を介して企業情報を提供するサーバである。例えば企業が提供するオフィシャルサイトや、検索サイト、ニュースなどのポータルサイトなど様々な情報をウェブサーバ２００からインターネット４００を介して提供している。
【００１８】
制御サーバ１００は、ウェブサーバ２００または端末機器３００に搭載されたウェブブラウザを制御するサーバである。具体的には、ウェブサーバ２００が提供する特定の情報内にタグが埋め込まれている。このタグには制御サーバ１００のアドレスなどの情報が記載されており、端末機器３００がタグを読み込むと、制御サーバ１００にあらかじめ組み込まれたプログラムを呼び出すことができる。
【００１９】
プログラムを呼びだされた制御サーバ１００はウェブサーバ２００、または端末機器３００にアクセスし、ユーザが操作する端末機器３００に広告データを出力してユーザを広告主のウェブサイトへ誘導するようアシストするサーバである。詳細は後述する。
【００２０】
端末機器３００は、例えばコンピュータ、携帯電話、スマートフォン、タブレットなどインターネット４００に接続可能な装置である。ユーザは端末機器３００を利用し、ウェブサーバ２００にアクセスする。ウェブサーバ２００にアクセスした端末機器３００は、企業の情報を取得することができる。
【００２１】
本発明は、端末機器３００を利用するユーザが、企業が提供する特定のウェブサイトから別のウェブサイトへ移動する離脱操作や、企業が提供するウェブサイトが表示されているウェブブラウザを終了させてしまうなどの離脱操作を行った際に、ユーザが操作する端末機器３００に広告データを表示させることでユーザを広告主のウェブサイトへ誘導するものである。
【００２２】
なお便宜上、企業が提供する特定のウェブサイトから別のウェブサイトへ移動したり、特定のウェブサイトが表示されているウェブブラウザを終了させてしまったり、特定のウェブサイトが表示された状態からウェブブラウザ内で複数のタブを確認する画面や、初期画面を表示するなど特定のウェブサイトがアクティブな状態な非アクティブな状態にする操作を総称して「離脱操作」と呼ぶこととする。
次に企業が提供するウェブサイトから離脱操作を行ったユーザに広告データを表示させるまでの手順を簡単に説明する。
【００２３】
まず企業は、オフィシャルサイトや、検索サイト、ニュースなどのポータルサイトなど様々な情報をウェブサーバ２００で提供する。次に、ウェブサーバ２００で提供された情報にユーザがアクセスし、企業が提供する様々な情報ページを閲覧する。ここで特定の情報ページから離脱操作を行った時、次のページが表示される直前にユーザ向けの広告データであるポップアップを端末機器３００に表示させる。
【００２４】
また、このような離脱操作後に端末機器３００に表示させる広告データは、あらかじめ端末機器３００やウェブサーバ２００に蓄積された情報より取得したユーザの閲覧履歴からユーザに最適な広告データを表示させる。
これにより、ユーザが閲覧していたウェブサイトから別のウェブサイトに移動してしまったユーザを広告主のウェブサイトへ誘導することができる。
【００２５】
図２は、制御サーバの構成を示すブロック図である。
図２に示すように、制御サーバ１００は、入力手段１１０、ポップアップ生成手段１２０、離脱検知手段１３０、および出力手段１４０が備えられている。
【００２６】
入力手段１１０はインターネット４００に接続され、ウェブサーバ２００が提供する特定の情報内に埋め込まれたタグが端末機器３００に読み込まれることによって、端末機器３００から送信される制御リクエストを受信する。
【００２７】
ポップアップ生成手段１２０は、あらかじめ設定された内容により、ユーザに向けた広告データであるポップアップが生成される。ポップアップは、端末機器３００に表示されている情報ページから離脱操作をユーザが行うと、次の情報ページが表示される直前にポップアップ生成手段１２０により生成された広告データがポップアップとして端末機器３００に表示される。
【００２８】
離脱検知手段１３０は、ユーザが特定の情報ページから離脱したことを検知するためのものである。ここでいう離脱とは、クライアントが端末機器３００を操作して特定の情報ページから他の情報ページへ移動する操作を行うことである。
出力手段１４０はインターネット４００に接続され、端末機器３００にポップアップ生成手段１２０が生成したポップアップの情報を送信する。
【００２９】
図３は、ウェブサーバの構成を示すブロック図である。
図３に示すように、ウェブサーバ２００は、入力手段２１０、情報ページ提供手段２２０、情報ページ格納部２３０、および出力手段２４０を備えている。
【００３０】
入力手段１１０はインターネット４００に接続され、ユーザが操作する端末機器３００から送信される情報提供リクエストを受信する。入力手段２１０は情報ページ提供手段２２０に接続されている。
【００３１】
情報ページ提供手段２２０は、端末機器３００から送信された情報提供リクエストを受信し、情報ページ格納部２３０に格納されている情報から情報提供リクエストに応じた情報を提供する。
【００３２】
情報ページ格納部２３０には企業が提供する様々な情報が格納されており、例えば企業の詳細情報を提供するホームページや、クライアント情報を取得するためのエントリーフォームが格納されている。企業の詳細情報を提供するホームページは一方向の情報提供だけであるが、エントリーフォームのようにクライアント情報を取得する場合は、取得したクライアント情報は図示しないクライアント情報格納部に保存される。
【００３３】
出力手段２４０はインターネット４００に接続され、クライアントが操作する端末機器３００から受信した情報提供リクエストに応じた情報が情報ページ提供手段２２０より提供され、出力手段２４０が端末機器３００に送信する。
【００３４】
これにより、端末機器３００によりリクエストされた情報をウェブサーバ２００が送信、または端末機器３００により送信されたクライアント情報をウェブサーバ２００が受信することができる。
【００３５】
図４は、情報ページ格納部の詳細を示す図である。
図４に示すように、情報ページ格納部２３０は、複数の情報ページ２３１を備えている。
【００３６】
情報ページ２３１は、例えばＨＴＭＬ（HyperText Markup Language）で記載された情報であり、端末機器３００により情報提供リクエストされた情報ページ２３１をウェブサーバ２００が提供することにより、端末機器３００に搭載されたウェブブラウザで情報ページ２３１が表示される。
【００３７】
特定の情報ページ２３１の内部には制御サーバ呼出タグ２３２が埋め込まれている。
制御サーバ呼出タグ２３２には、制御サーバ１００のアドレスなどの情報が記載されており、端末機器３００が制御サーバ呼出タグ２３２を読み込むと、制御サーバ１００にあらかじめ組み込まれたプログラムを呼び出すことができる。
【００３８】
図５は、本実施の形態の広告データ出力装置によるユーザが操作する端末機器に広告データを表示させるまでの手順を示すフローチャートである。以下、図５に示す処理をステップ番号に沿って説明する。
【００３９】
〔ステップＳ１１〕入力手段１１０は、端末機器３００から送信される制御リクエストを受信する。具体的には、ウェブサーバ２００が提供する情報ページ２３１を端末機器３００が読み込み、情報ページ２３１に埋め込まれた制御サーバ呼出タグ２３２が端末機器３００に読み込まれることによって、端末機器３００から制御サーバ１００に送信される制御リクエストを入力手段２１０が受信する。
【００４０】
〔ステップＳ１２〕ポップアップ生成手段１２０は、ポップアップを生成する。具体的にはユーザが端末機器３００に表示されている情報ページより離脱操作を行った際に、次の情報ページが表示される直前に端末機器３００に表示される広告データであるポップアップを生成する。
【００４１】
ポップアップの内容は広告主があらかじめ設定することができ、ユーザを広告主のウェブサイトへ誘導するポップアップが表示される。これによりユーザが広告主のウェブサイトへ訪問率を上げることができる。
【００４２】
〔ステップＳ１３〕出力手段１４０が、ポップアップを非表示で出力する。具体的には、ポップアップ生成手段１２０が生成したポップアップに非表示属性を付した状態で出力する。出力されたポップアップは、端末機器３００に搭載されたウェブブラウザで表示されないが、ポップアップの情報ページは端末機器３００に送信された状態となり、ポップアップに付された非表示属性を表示属性に変更するだけでポップアップが表示されるようになる。
【００４３】
〔ステップＳ１４〕離脱検知手段１３０が、離脱操作の有無を判断する。具体的には離脱検知手段１３０は、クライアントの操作を監視し、ユーザが端末機器３００に表示されている情報ページで行われる離脱操作の有無を判断する。離脱操作が無いと判断した時は、そのまま離脱操作の監視を続け、離脱操作が有ると判断した時は、処理をステップＳ１５へ進める。
【００４４】
〔ステップＳ１５〕制御サーバ１００は、端末機器３００にポップアップを表示させる。具体的には、ステップＳ１３で非表示属性を付した状態で出力したポップアップの属性を非表示属性から表示属性に変更する。これにより、非表示状態だったポップアップが端末機器３００に表示されるようになる。
【００４５】
図６は、クライアントが操作する端末機器に表示される特定の情報ページにポップアップが表示される様子示す図である。
図６に示すように、（ａ）はウェブサーバ２００により提供される特定の情報ページが端末機器３００に表示されたものである。また（ｂ）はポップアップ生成手段１２０により生成されたポップアップである。（ｃ）はユーザが離脱操作を行った直後にポップアップが端末機器３００に表示された状態を示している。
【００４６】
（ａ）は、企業がウェブサーバ２００で提供する特定の情報ページである。特定の情報ページには制御サーバ呼出タグ２３２が埋め込まれており、端末機器３００が制御サーバ呼出タグ２３２を読み込むことによって制御サーバ１００のプログラムが呼び出される。
【００４７】
（ｂ）は、ポップアップ生成手段１２０により生成されたポップアップである。ポップアップには広告主のウェブサイトへリンクされており、ユーザが端末機器３００を操作してポップアップをクリックすることで広告主のウェブサイトへ移動することができる。
【００４８】
（ｃ）は、ユーザが離脱操作を行い、次のページが表示される直前にポップアップが表示された状態を示している。（ｃ）に示すように、ポップアップは特定の情報ページの前面または別のウインドウで最前面に表示される。
【００４９】
これにより、情報ページの広告枠に掲載された複数のバナー広告から独立させて表示されるので、より広告主の広告データを強調することができる。またポップアップで表示させることで広告を単独表示できるので、他の広告主のバナー広告に誘導されること無く広告主のウェブサイトへ効率よく誘導することができる。
なお、ポップアップの右上に表示された「Ｘマーク」をユーザがクリックすることで、ポップアップは閉じられ、ユーザが所望した移動先の情報ページが表示される。
【００５０】
〔第２の実施の形態〕
次に、本発明の第２の実施の形態について説明する。本実施の形態の広告データ出力装置は、あらかじめ取得したユーザの閲覧履歴により広告データが振り分けられること以外は、第１の実施の形態で示した構成とほぼ同様である。このため、上記第１の実施の形態とほぼ同様の構成部分については同一の符号を付すなどして適宜その説明を省略する。
【００５１】
図７は、制御サーバの構成を示すブロック図である。
図７に示すように、制御サーバ１００は、入力手段１１０、ポップアップ生成手段１２０、離脱検知手段１３０、出力手段１４０、履歴取得手段１５０、および広告選択手段１６０が備えられている。
【００５２】
入力手段１１０はインターネット４００に接続され、ウェブサーバ２００が提供する特定の情報内に埋め込まれたタグが端末機器３００に読み込まれることによって、端末機器３００から送信される制御リクエストを受信する。
【００５３】
履歴取得手段１５０は、ユーザが端末機器３００で閲覧した情報ページの履歴情報を取得する。具体的には、ユーザが操作する端末機器３００がウェブサーバ２００から提供される情報ページを閲覧することでウェブサーバ２００に自動的に記録されるリファラ情報や、ユーザが端末機器３００を利用して様々な情報ページを閲覧することで端末機器３００に自動的に記録されるクッキー情報などを履歴取得手段１５０が取得する。
【００５４】
リファラ情報とは、ユーザが情報ページに移動する時にウェブサーバ２００に記録される移動元のページ情報であり、クッキー情報とは、ユーザが様々な情報ページを閲覧する時にユーザの識別や属性に関する情報や、最後に訪れた情報ページの日時などが端末機器３００に記録される情報である。
これらの履歴情報を取得することで、ユーザが特定の情報ページにどのような経緯で訪問したのか、どのような情報を求めているのかが判断できる。
【００５５】
広告選択手段１６０は、履歴取得手段１５０が取得したユーザの履歴情報からユーザに最適な広告主による広告データを選択する。例えばユーザのリファラ情報によりユーザが家電製品を検索したページから訪問した情報を取得した場合、あらかじめ登録されている広告主からの広告データの中から家電製品に関する広告データを選択する。
これによりユーザが興味をもっている内容に最適な広告データを選択することができるので、効率よく広告主のウェブサイトに誘導することができる。
【００５６】
ポップアップ生成手段１２０は、広告選択手段１６０より選択された広告データであるポップアップの生成を行う。ポップアップは、端末機器３００に表示されている情報ページから離脱操作をユーザが行うと、次の情報ページが表示される直前にポップアップ生成手段１２０により生成された広告データがポップアップとして端末機器３００に表示される。
【００５７】
離脱検知手段１３０は、ユーザが特定の情報ページから離脱したことを検知するためのものである。ここでいう離脱とは、クライアントが端末機器３００を操作して特定の情報ページから他の情報ページへ移動する操作を行うことである。
出力手段１４０はインターネット４００に接続され、端末機器３００にポップアップ生成手段１２０が生成したポップアップの情報を送信する。
【００５８】
図８は、本実施の形態の広告データ出力装置によるユーザが操作する端末機器に広告データを表示させるまでの手順を示すフローチャートである。以下、図８に示す処理をステップ番号に沿って説明する。
【００５９】
〔ステップＳ２１〕入力手段１１０は、端末機器３００から送信される制御リクエストを受信する。具体的には、端末機器３００がウェブサーバ２００から提供される情報ページ２３１を読み込み、情報ページ２３１に埋め込まれた制御サーバ呼出タグ２３２が端末機器３００に読み込まれることによって、端末機器３００から制御サーバ１００に送信される制御リクエストを入力手段２１０が受信する。
【００６０】
〔ステップＳ２２〕履歴取得手段１５０は、ユーザが端末機器３００で閲覧した情報ページの履歴情報を取得する。具体的には、ユーザが操作する端末機器３００が、ウェブサーバ２００が提供する情報ページを閲覧することでウェブサーバ２００に自動的に記録されるリファラ情報や、ユーザが端末機器３００を利用して様々な情報ページを閲覧することで端末機器３００に自動的に記録されるクッキー情報などを取得する。
【００６１】
〔ステップＳ２３〕広告選択手段１６０は、履歴取得手段１５０が取得したユーザの履歴情報からユーザに最適な広告主による広告データを選択する。具体的には、あらかじめ広告主によって登録されている広告データの中から、ステップＳ２２で取得したユーザの履歴情報をもとにしてユーザに最適な広告データが選択される。
【００６２】
〔ステップＳ２４〕ポップアップ生成手段１２０は、広告選択手段１６０が選択した広告データをもとにポップアップを生成する。具体的にはユーザが端末機器３００に表示されている情報ページで離脱操作を行った際に、次の情報ページが表示される直前に端末機器３００に表示される広告データであるポップアップを生成する。
【００６３】
〔ステップＳ２５〕出力手段１４０が、ポップアップを非表示で出力する。具体的には、ポップアップ生成手段１２０が生成したポップアップに非表示属性を付した状態で出力する。出力されたポップアップは、端末機器３００に搭載されたウェブブラウザで表示されないが、ポップアップの情報ページは端末機器３００に送信された状態となり、ポップアップに付された非表示属性を表示属性に変更するだけでポップアップが表示されるようになる。
【００６４】
〔ステップＳ２６〕離脱検知手段１３０が、離脱操作の有無を判断する。具体的には離脱検知手段１３０は、クライアントの操作を監視し、ユーザが端末機器３００に表示されている情報ページで行われる離脱操作の有無を判断する。離脱操作が無いと判断した時は、そのまま離脱操作の監視を続け、離脱操作が有ると判断した時は、処理をステップＳ２７へ進める。
【００６５】
〔ステップＳ２７〕制御サーバ１００は、端末機器３００にポップアップを表示させる。具体的には、ステップＳ１３で非表示属性を付した状態で出力したポップアップの属性を非表示属性から表示属性に変更する。これにより、非表示状態だったポップアップが端末機器３００に表示されるようになる。
【００６６】
図９は、広告選択手段によって選択された広告が出力される概念を示す図である。
図９に示すように、それぞれ別の端末機器により表示された情報ページ６１〜６３から
特定の情報ページ５０に移動している。
【００６７】
情報ページ６１は、家電製品を検索したページや、家電製品の価格サイトなどの家電のカテゴリの情報ページ６１から特定の情報ページ５０に移動している。また情報ページ６２は、ファッションブランドのウェブサイトなどのファッションのカテゴリの情報ページ６２から特定の情報ページ５０に移動している。また情報ページ６３は、金融情報やカードローンなどのファイナンスのカテゴリの情報ページ６３から特定の情報ページ５０に移動している。
【００６８】
それぞれの情報ページから訪問された特定の情報ページ５０で、それぞれのユーザが離脱操作を行うと、履歴取得手段１５０で取得したユーザの閲覧履歴からそれぞれのユーザに最適な広告データが広告選択手段１６０によって選択され、広告選択手段１６０によって選択された広告データからポップアップ生成手段１２０がポップアップを生成し、ポップアップが出力手段１４０によって出力される。
【００６９】
例えば、情報ページ６１で家電のカテゴリの履歴情報を取得したユーザが離脱操作を行うと、家電量販店のウェブサイトにリンクされたポップアップＰＯＰ１が表示される。また、情報ページ６２でファッションのカテゴリの履歴情報を取得したユーザが離脱操作を行うと、アパレル関係のウェブサイトにリンクされたポップアップＰＯＰ２が表示される。また、情報ページ６３でファイナンスのカテゴリの履歴情報を取得したユーザが離脱操作を行うと証券会社申込募集のウェブサイトにリンクされたポップアップＰＯＰ３が表示される。
このように、ユーザの履歴情報から最適な広告データをポップアップとして出力することで効率よくユーザを広告主のウェブサイトへ誘導することができる。
【符号の説明】
【００７０】
５０、６１、６２、６３、２３１  情報ページ
１００  制御サーバ
１１０、２１０  入力手段
１２０  ポップアップ生成手段
１３０  離脱検知手段
１４０、２４０  出力手段
１５０  履歴取得手段
１６０  広告選択手段
２００  ウェブサーバ
２２０  情報ページ提供手段
２３０  情報ページ格納部
２３２  制御サーバ呼出タグ
３００  端末機器
４００  インターネット
ＰＯＰ１、ＰＯＰ２、ＰＯＰ３  ポップアップ
【図１】
2018060337.tif 000003
【図２】
2018060337.tif 000004
【図３】
2018060337.tif 000005
【図４】
2018060337.tif 000006
【図５】
2018060337.tif 000007
【図６】
2018060337.tif 000008
【図７】
2018060337.tif 000009
【図８】
2018060337.tif 000010
【図９】
2018060337.tif 000011